(57)【特許請求の範囲】
【請求項１】
所定のフォーマットに従って送信装置から送信される画像データに基づいて画像を出力するための受信装置であって、
それぞれが所定のデータユニット数からなる複数のデータブロックから構成される画像データを受信する受信部と、
前記受信装置により受信される特定の画像データに基づいて、前記送信装置に対して定められたフォーマットを識別し、該識別したフォーマットを記憶する識別部と、
前記フォーマットに従う配列情報に基づいて、画像データの各データブロックにおけるデータユニットの配列の並び替えを行うデータ並び替え部と、
前記データ並び替え部によって並び替えが行われたデータユニットに基づくピクセルデータブロックに基づいて画像を出力する出力部と、
を備え、
前記識別部は、前記特定の画像データを構成する各データブロックにおける各データユニットの値の変化回数を求め、該求められた変化回数に基づいて、前記データユニットの属性を識別することにより、前記フォーマットを識別し、
前記特定の画像データは、１フレーム分の画像における走査ラインごとに、該データブロックにおけるデータユニット間の値が互いに異なるように構成される、
受信装置。
【請求項２】
各前記走査ラインには、対応する前記データブロックのみが送信される、請求項１記載の受信装置。
【請求項３】
前記識別部は、前記１フレーム分の画像において所定数を超える分の前記走査ラインについて、前記データユニットの属性の識別を無視する、請求項１記載の受信装置。
【請求項４】
前記識別部は、前記送信装置と前記受信装置との接続が確立したときに前記送信装置から送信される前記特定の画像データに基づいて前記フォーマットを識別する、請求項１記載の受信装置。
【請求項５】
前記識別部は、複数フレーム分の画像に対応する前記特定の画像データに基づいて、前記フォーマットを識別する、請求項１記載の受信装置。
【請求項６】
前記データ並べ替え部は、前記受信部により前記特定の画像データの受信後に受信する画像データに対して並べ替えを行う、請求項１記載の受信装置。
【請求項７】
前記識別部は、少なくとも、色成分情報、データイネーブル情報、垂直同期情報、及び水平同期情報を、前記データユニットの属性として識別する、請求項１記載の受信装置。
【請求項８】
前記識別部は、求められた前記変化回数が最も少なく、かつ、複数回にわたって前記値が変化しているデータユニットの属性を前記垂直同期情報として識別する、請求項７に記載の受信装置。
【請求項９】
前記識別部は、前記垂直同期情報に関する属性の識別がなされた後に、前記色成分情報に関する属性を識別する、請求項８記載の受信装置。
【請求項１０】
前記識別部は、前記色成分情報に関する属性の識別がなされた後に、未だ識別されていないデータユニットの属性のうちの前記値が変化しているデータユニットの個数を求め、該求めた個数に応じて、水平同期情報に関する属性及びデータイネーブル情報に関する属性を識別する、請求項９記載の受信装置。
【請求項１１】
前記識別部は、
前記求めたデータユニットの個数が“１”である場合、前記未だ識別されていないデータユニットの属性を水平同期情報として識別し、
前記求めたデータユニットの個数が“２”である場合、前記未だ識別されていないデータユニットのうち、求められた前記変化回数が少ないデータユニットの属性を水平同期情報として識別し、前記未だ識別されていないデータユニットのうち、求められた前記変化回数が多いデータユニットの属性をデータイネーブル情報として識別する、請求項１０記載の受信装置。
【請求項１２】
前記受信部は、少なくともＬＶＤＳ及びｍｉｎｉ−ＬＶＤＳの一方の規格に従って送信される画像データを受信する、請求項１に記載の受信装置。
【請求項１３】
所定のフォーマットに従って送信装置から送信される画像データの該フォーマットを識別するための方法であって、
それぞれが所定のデータユニット数からなる複数のデータブロックから構成される特定の画像データを受信することと、
前記特定の画像データを構成する各データブロックにおける各データユニットの値の変化回数を求めることと、
前記求められた変化回数に基づいて、前記データユニットの属性を識別し、該識別した結果に従って前記フォーマットを識別することと、
を含み、
前記特定の画像データは、１フレーム分の画像における走査ラインごとに、該データブロックにおけるデータユニット間の値が互いに異なるように構成される、
方法。
【請求項１４】
所定のフォーマットに従って画像データを送信する送信装置と、前記送信装置に接続され、前記画像データを受信する受信装置とを備える画像伝送システムであって、
前記送信装置は、前記受信装置との接続が確立したときに、それぞれが所定のデータユニット数からなる複数のデータブロックから構成される、少なくとも１フレーム分の画像に対応する特定の画像データを送信する送信部を備え、
前記受信装置は、
前記送信装置から送信される前記特定の画像データを受信する受信部と、
前記受信装置により受信される特定の画像データに基づいて、前記送信装置に対して定められたフォーマットを識別し、該識別したフォーマットを記憶する識別部と、
前記フォーマットに従う配列情報に基づいて、画像データの各データブロックにおけるデータユニットの配列の並び替えを行うデータ並び替え部と、
前記データ並び替え部によって並び替えが行われたデータユニットに基づくピクセルデータブロックに基づいて画像を出力する出力部と、
を備え、
前記識別部は、前記特定の画像データを構成する各データブロックにおける各データユニットの値の変化回数を求め、該求められた変化回数に基づいて、前記データユニットの属性を識別することにより、前記フォーマットを識別し、
前記特定の画像データは、１フレーム分の画像における走査ラインごとに、該データブロックにおけるデータユニット間の値が互いに異なるように構成される、
画像伝送システム。
【発明の詳細な説明】
【技術分野】
【０００１】
本発明は、受信装置及び画像伝送システムに関し、特に、画像データを受信するための受信装置及び画像データの送受信を行う画像伝送システムに関する。
【背景技術】
【０００２】
従来より、生成された映像データ乃至は画像データを送信するための送信装置と、送信装置から送信される画像データを受信し、該画像データに従う画像を出力する受信装置とによって構成される画像伝送システムが知られている。このような画像伝送システムでは、例えばＬＶＤＳ（Low Voltage Differential Signaling）やｍｉｎｉ−ＬＶＤＳといった規格が採用されている。
【０００３】
ＬＶＤＳは、米国規格協会（ＡＮＳＩ：American National Standards Institute）によって１９９４年に標準化された短距離用のデジタル有線伝送技術である。ＬＶＤＳに従う画像伝送システムは、１対の伝送路を使用する差動信号システムであり、具体的には、送信装置が２つの異なる電位を有する差動信号を送信し、受信装置が該２つ信号の電位差を比較することによって、信号の論理状態を判断する。これにより、ＬＶＤＳに従う画像伝送システムは、差動信号を小振幅・低消費電力で高速に伝送することができる。また、ｍｉｎｉ−ＬＶＤＳは、ＬＶＤＳから派生した規格であり、ＬＶＤＳよりも電圧振幅を小さくし、消費電力を抑えたものである。
【０００４】
このようなＬＶＤＳに従う画像伝送システムにおいて、画像データは、典型的には、データ伝送のための差動クロックの１サイクルごとに計２８ビット（すなわち、赤・緑・青の各色成分８ビット、垂直同期１ビット、水平同期１ビット、データイネーブル１ビット、及びダミー１ビット）のデータブロックとして定められ、かかる画像データは、４対の差動伝送路によって信号伝送される。１つのデータブロックは、ＬＶＤＳの規格に従う画像伝送システムにおいては画像データの１ピクセル分の情報に相当する。なお他の規格（例えば、ｍｉｎｉ−ＬＶＤＳなど）に従う画像伝送システムにおいてはこの限りではなく、例えば、数ピクセルにわたる情報を含む場合もある。
【０００５】
ところで、ＬＶＤＳでは、差動クロックの１サイクルにおけるデータブロックの各データユニットをどのような順序で送信するかに関して定めておらず、送信装置を設計する設計者にその順序が委ねられている。このため、受信装置内部のレジスタには、送信装置のそれぞれに依存したデータユニットの送信順序情報が予め登録されており、使用される送信装置に合わせて管理者が送信順序情報をその都度手動で設定することで、受信装置が、送信装置から送信される画像データを識別することを可能にしている。しかしながら、信号ビットの送信順序が不明な場合、管理者は、送信順序情報を設定することができず、受信装置に画像データの識別を行わせることができない。
【０００６】
このため、送信装置から送信される画像データを自動的に識別する技術として、下記特許文献１がある。すなわち、特許文献１は、ソース機器から送信される映像信号及び映像に関する所定の配列情報を受信し、該所定の配列情報に基づいて該映像信号を識別し、該識別の結果に従って映像信号の並び替えを行うＡＶ機器を開示する。
【先行技術文献】
【特許文献】
【０００７】
【特許文献１】特開２０１３−１５３４１０号公報
【発明の概要】
【発明が解決しようとする課題】
【０００８】
しかしながら、上述した特許文献１に開示される技術では、映像信号の識別のために映像信号とは全く別の所定の配列情報を送信する必要があった。このため、画像伝送システムは、ソース機器とこれに対応するシンク機器によって構成されなければならず、汎用性に欠けていた。
【０００９】
そこで、本発明は、所定の規格に従う汎用の送信装置が送信可能な画像データを用いて、該画像データの識別を可能にした受信装置及び画像伝送システムを提供することを目的とする。つまり、本発明は、画像自体に関する通常の画像データとは別の配列情報を用いることなく、画像データの識別を可能にした受信装置及び画像伝送システムを提供することを目的とする。
【課題を解決するための手段】
【００１０】
上記課題を解決するための本発明は、以下の技術的特徴乃至は発明特定事項を含んで構成される。
【００１１】
すなわち、ある観点に従う本発明は、所定のフォーマットに従って送信装置から送信される画像データに基づいて画像を出力するための受信装置であって、それぞれが所定のデータユニット数からなる複数のデータブロックから構成される画像データを受信する受信部と、前記受信装置により受信される特定の画像データに基づいて、前記送信装置に対して定められたフォーマットを識別し、該識別したフォーマットを記憶する識別部と、前記フォーマットに従う配列情報に基づいて、画像データの各データブロックにおけるデータユニットの配列の並び替えを行うデータ並び替え部と、前記データ並び替え部によって並び替えが行われたデータユニットに基づくピクセルデータブロックに基づいて画像を出力する出力部とを備え、前記識別部は、前記特定の画像データを構成する各データブロックにおける各データユニットの値の変化回数を求め、該求められた変化回数に基づいて、前記データユニットの属性を識別することにより、前記フォーマットを識別し、前記特定の画像データは、１フレーム分の画像における走査ラインごとに、該データブロックにおけるデータユニット間の値が互いに異なるように構成される受信装置である。
【００１２】
これにより、受信装置は、１フレーム分の画像における走査ラインごとにデータブロックのデータユニット間の値が互いに異なるように構成される特定の画像データの各データユニットの値の変化回数を求めることによって、送信装置により定められたフォーマットを識別するため、送信装置から送信される画像データを該フォーマットに従って識別することができるようになる。
【００１３】
ここで、各前記走査ラインにおける各データブロックの値は同一であっても良い。
【００１４】
また、前記識別部は、前記１フレーム分の画像において所定数を超える分の前記走査ラインについて、前記データユニットの属性の識別を無視しても良い。
【００１５】
これにより、受信装置は、１フレーム分の画像において所定分を超える分の走査ラインに関してデータユニットの属性の識別を無視するので、信号識別部の処理負担を低減することができるようになる。
【００１６】
また、前記識別部は、前記送信装置と前記受信装置との接続が確立したときに前記送信装置から送信される前記特定の画像データに基づいて前記フォーマットを識別しても良い。
【００１７】
これにより、受信装置は、送信装置との接続が確立したときに、送信装置に関するフォーマットを識別することができるようになる。
【００１８】
また、前記識別部は、複数フレーム分の画像に対応する前記特定の画像データに基づいて、前記フォーマットを識別しても良い。
【００１９】
これにより、受信装置は、複数フレーム分の画像に対応する特定の画像データに基づいてフォーマットを識別するため、より高精度でフォーマットを識別することができるようになる。
【００２０】
また、前記データ並べ替え部は、前記受信部により前記特定の画像データの受信後に受信する画像データに対して並べ替えを行っても良い。
【００２１】
これにより、受信装置は、特定の画像データに従って識別したフォーマットに基づいて、特定の画像データの受信後に受信する画像データに対して並び替えを行うことができるようになる。
【００２２】
また、前記識別部は、少なくとも、色成分情報、データイネーブル情報、垂直同期情報、及び水平同期情報を、前記データユニットの属性として識別しても良い。
【００２３】
さらに、前記識別部は、求められた前記変化回数が最も少なく、かつ、複数回にわたって前記値が変化しているデータユニットの属性を前記垂直同期情報として識別しても良い。
【００２４】
これにより、受信装置は、垂直同期情報をデータユニットの属性として識別することができるようになる。
【００２５】
さらにまた、前記識別部は、前記垂直同期情報に関する属性の識別がなされた後に、前記色成分情報に関する属性を識別しても良い。
【００２６】
これにより、受信装置は、各色成分情報をデータユニットの属性として識別することができるようになる。
【００２７】
さらに、前記識別部は、前記色成分情報に関する属性の識別がなされた後に、未だ識別されていないデータユニットの属性のうちの前記値が変化しているデータユニットの個数を求め、該求めた個数に応じて、水平同期情報に関する属性及びデータイネーブル情報に関する属性を識別しても良い。
【００２８】
これにより、受信装置は、水平同期情報及びデータイネーブル情報をデータユニットの属性として識別することができるようになる。
【００２９】
さらにまた、前記識別部は、前記求めたデータユニットの個数が“１”である場合、前記未だ識別されていないデータユニットの属性を水平同期情報として識別し、前記求めたデータユニットの個数が“２”である場合、前記未だ識別されていないデータユニットのうち、求められた前記変化回数が少ないデータユニットの属性を水平同期情報として識別し、前記未だ識別されていないデータユニットのうち、求められた前記変化回数が多いデータユニットの属性をデータイネーブル情報として識別しても良い。
【００３０】
また、前記受信部は、少なくともＬＶＤＳ及びｍｉｎｉ−ＬＶＤＳの一方の規格に従って送信される画像データを受信しても良い。
【００３１】
これにより、受信装置は、ＬＶＤＳ又はｍｉｎｉ−ＬＶＤＳの規格に従って送信される画像データを受信し、該画像データを識別することができるようになる。
【００３２】
さらに、別の観点に従う本発明は、所定のフォーマットに従って送信装置から送信される画像データの該フォーマットを識別するための方法であって、それぞれが所定のデータユニット数からなる複数のデータブロックから構成される特定の画像データを受信することと、前記特定の画像データを構成する各データブロックにおける各データユニットの値の変化回数を求めることと、前記求められた変化回数に基づいて、前記データユニットの属性を識別し、該識別した結果に従って前記フォーマットを識別することと、を含み、前記特定の画像データは、１フレーム分の画像における走査ラインごとに、該データブロックにおけるデータユニット間の値が互いに異なるように構成される、方法である。
【００３３】
これにより、受信装置は、１フレーム分の画像における走査ラインごとにデータブロックのデータユニット間の値が互いに異なるように構成される特定の画像データの各データユニットの値の変化回数を求めることによって、送信装置により定められたフォーマットを識別するため、送信装置から送信される画像データを該フォーマットに従って識別することができるようになる。
【００３４】
さらに、別の観点に従う本発明は、所定のフォーマットに従って画像データを送信する送信装置と、前記送信装置に接続され、前記画像データを受信する受信装置とを備える画像伝送システムであって、前記送信装置は、前記受信装置との接続が確立したときに、それぞれが所定のデータユニット数からなる複数のデータブロックから構成される、少なくとも１フレーム分の画像に対応する特定の画像データを送信する送信部を備え、前記受信装置は、前記送信装置から送信される前記特定の画像データを受信する受信部と、前記受信装置により受信される特定の画像データに基づいて、前記送信装置に対して定められたフォーマットを識別し、該識別したフォーマットを記憶する識別部と、前記フォーマットに従う配列情報に基づいて、画像データの各データブロックにおけるデータユニットの配列の並び替えを行うデータ並び替え部と、前記データ並び替え部によって並び替えが行われたデータユニットに基づくピクセルデータブロックに基づいて画像を出力する出力部と、を備え、前記識別部は、前記特定の画像データを構成する各データブロックにおける各データユニットの値の変化回数を求め、該求められた変化回数に基づいて、前記データユニットの属性を識別することにより、前記フォーマットを識別し、前記特定の画像データは、１フレーム分の画像における走査ラインごとに、該データブロックにおけるデータユニット間の値が互いに異なるように構成される、画像伝送システムである。
【００３５】
これにより、画像伝送システムは、１フレーム分の画像における走査ラインごとにデータブロックのデータユニット間の値が互いに異なるように構成される特定の画像データの各データユニットの値の変化回数を求めることによって、送信装置により定められたフォーマットを識別するため、送信装置から送信される画像データを該フォーマットに従って識別することができるようになる。
【発明の効果】
【００３６】
本発明によれば、受信装置及び画像伝送システムは、所定の規格に従う汎用の送信装置が送信可能な画像データを用いて、該画像データを識別することができるようになる。
【００３７】
本発明の他の技術的特徴、目的、及び作用効果乃至は利点は、添付した図面を参照して説明される以下の実施形態により明らかにされる。
【図面の簡単な説明】
【００３８】
【図１】本発明の一実施形態に係る画像伝送システムの概略構成の一例を示す図である。
【図２】本発明の一実施形態に係る受信装置における受信部の動作を示すためのタイミングチャートである。
【図３】本発明の一実施形態に係る受信装置における出力部の動作を説明するための概念図である。
【図４】本発明の一実施形態に係る送信装置から送信される識別用画像データの詳細を示すための概念図である。
【図５】本発明の一実施形態に係る送信装置が受信装置に識別用画像データを送信する場合の受信装置の動作を示すフローチャートである。
【図６】本発明の一実施形態に係る画像伝送システムの概略構成の他の例を示す図である。
【図７】本発明の一実施形態に係る受信装置における受信部の動作を示すためのタイミングチャートである。
【図８】本発明の一実施形態に係る送信装置が出力する差動信号と該信号が示す画像データとの関係を示すタイミングチャートである。
【図９】本発明の一実施形態に係る送信装置が出力する差動信号と該信号が示す画像データとの関係を示すタイミングチャートである。
【図１０】本発明の一実施形態に係る送信装置が出力する識別用画像データの内容を示すタイミングチャートである。
【図１１】本発明の一実施形態に係る送信装置から送信される識別用画像データを説明するための概念図である。
【図１２】本発明の一実施形態に係る送信装置が出力する識別用画像データの内容を示すタイミングチャートである。
【図１３】本発明の一実施形態に係る送信装置から送信される識別用画像データを説明するための概念図である。
【図１４】本発明の一実施形態に係る識別用画像データを受信した受信装置の動作を示すフローチャートである。
【発明を実施するための形態】
【００３９】
次に、本発明の実施の形態について、図面を参照しつつ説明する。
【００４０】
図１は、本発明の一実施形態に係る画像伝送システムの概略構成の一例を示す図である。同図に示すように、本実施形態に係る画像伝送システム１は、例えば、送信装置１０と、受信装置２０とを含んで構成される。
【００４１】
送信装置１０は、例えばＬＶＤＳのソース機器であるが、これに限られず、例えば、ｍｉｎｉ−ＬＶＤＳのソース機器であっても良く、所定の形式で画像データの伝送を行うソース機器であれば良い。本例では、送信装置１０は、７ｂｉｔのデータ列を時分割で重畳したシリアルの差動信号ＩＮを４対（差動信号ＩＮ０〜ＩＮ３）使用することによって、１サイクルあたり２８ｂｉｔのデータブロックから構成される画像データを受信装置２０に送信する。また、送信装置１０は、受信装置２０が差動信号ＩＮ０乃至ＩＮ３をラッチするための差動クロックＣＬＫＰ及びＣＬＫＮを受信装置２０に送信する。さらに、送信装置１０は、受信装置２０に接続された場合に、画像データの種類を識別するための画像データ（以下、「識別用画像データ」という。）を少なくとも１画面（フレーム）分以上にわたって受信装置２０に送信し、受信装置２０が画像データの種類の識別を完了した後に、通常使用における画像出力のための画像データ（以下、「出力用画像データ」という。）を受信装置２０に送信する。
【００４２】
受信装置２０は、送信装置１０に対応するＬＶＤＳのシンク機器であるが、これに限られない。受信装置２０は、受信した４対の差動信号ＩＮ０乃至ＩＮ３を差動クロックＣＬＫＰ及びＣＬＫＮによってラッチし、該ラッチした差動信号ＩＮ０乃至ＩＮ３をパラレルの出力信号ＯＵＴ［２７：０］に変換する。受信装置２０は、後述するエッジカウンタの動作が有効である場合、該出力信号ＯＵＴ［２７：０］の各ビット（すなわち、各データユニット）の属性（すなわち、各データユニットが何を示すビットであるか）を識別し、該属性の識別の結果に従って、各データユニットの配列を規定するフォーマットを識別し、該フォーマットを記憶する。受信装置２０は、該フォーマットに基づいて出力信号ＯＵＴ［２７：０］の各データユニットの並び替えを行い、該並び替えが行われた信号に従って画像を出力（例えば表示）する。かかる機能を実現するため、受信装置２０は、例えば、受信部２１と、制御部２２と、エッジカウンタ２３と、信号識別部２４と、データ並び替え部２５と、レジスタ２６と、出力部２７とを含んで構成される。なお、本例の受信装置２０は、ＬＶＤＳ規格の下、１サイクル分のデータユニットを単位としてデータの並び替えを行うように構成されているが、これに限られず、例えば所定サイクル分のデータユニットを単位としてデータ伝送が行われる規格の下で、該データユニットについてデータの並び替えが行われるように構成されても良い。
【００４３】
受信部２１は、ＬＶＤＳのシンク機器のインターフェースであり、送信装置１０から送信される画像データに関するシリアルの２８ｂｉｔのデータブロックを示す差動信号ＩＮ０乃至ＩＮ３をパラレルの出力信号ＯＵＴ［２７：０］に変換してエッジカウンタ２３とデータ並び替え部２５とに出力する。具体的には、受信部２１は、差動クロックＣＬＫＰ及びＣＬＫＮに基づいて、内部クロックと出力クロックＣＬＫＯとを生成し、該生成した内部クロックに基づいて、送信装置１０から送信される２８ｂｉｔのデータブロックを示す４対のシリアルの差動信号ＩＮ０乃至ＩＮ３をラッチする。受信部２１はさらに、該ラッチした差動信号ＩＮ０乃至ＩＮ３をパラレルの出力信号ＯＵＴ［２７：０］に変換し、出力クロックＣＬＫＯに基づいて、出力信号ＯＵＴ［２７：０］をエッジカウンタ２３とデータ並び替え部２５とに出力する。
【００４４】
制御部２２は、受信装置２０の動作を制御するために、エッジカウンタ２３を制御する。具体的には、制御部２２は、受信装置２０が送信装置１０に接続されたことを検知すると、制御信号ＣＮＴの状態を“有効”として、該信号をエッジカウンタ２３に出力する。なお、本例では、制御部２２は、受信装置２０が送信装置１０に接続された場合に制御信号ＣＮＴの状態を“有効”としているが、これに限られるものではなく、例えば、制御部２２は、外部から入力される何らかの信号に従って制御信号ＣＮＴの状態を決定しても良い。
【００４５】
エッジカウンタ２３は、制御信号ＣＮＴに従って、受信部２１から出力される出力信号ＯＵＴ［２７：０］の各データユニットの値の変化回数をカウントし、該カウント結果をデータ並び替え部２５に出力する。具体的には、エッジカウンタ２３は、制御部２２から出力される制御信号ＣＮＴの状態が“有効”である場合、受信部２１から出力される出力信号ＯＵＴ［２７：０］の各データユニットの値の変化回数を出力部２７で出力する画像の例えば数画面分にわたってカウントする。エッジカウンタ２３は、該カウントの結果をカウント信号ＣＯＵＮＴとして信号識別部２４に出力する。一方、エッジカウンタ２３は、制御信号ＣＮＴの状態が“無効”である場合、出力信号ＯＵＴ［２７：０］の各データユニットの値の変化回数のカウントを停止する。
【００４６】
信号識別部２４は、エッジカウンタ２３から出力されるカウント信号ＣＯＵＮＴに従って、出力信号ＯＵＴ［２７：０］の各データユニットの属性を識別し、該識別した属性に基づいて各データユニットの配列を規定するフォーマットを識別する。信号識別部２４は、識別したフォーマットを記憶するとともに、該識別したフォーマットを識別情報ＩＤとしてデータ並び替え部２５に出力する。属性は、例えば、赤色成分信号Ｒ［７：０］、緑色成分信号Ｇ［７：０］、青色成分信号Ｂ［７：０］、データイネーブル信号ＥＮ、水平同期信号ＨＳＹＮＣ、垂直同期信号ＶＳＹＮＣ及びダミー信号に分けられる。
【００４７】
データ並び替え部２５は、信号識別部２４から出力される識別情報ＩＤに従って、受信部２１から出力される出力信号ＯＵＴ［２７：０］の各データユニットを並び替え、該並び替えたデータユニットをレジスタ２６に出力する。具体的には、データ並び替え部２５は、信号識別部２４から出力される識別情報ＩＤに示されるフォーマットに従って、受信部２１から出力される出力信号ＯＵＴ［２７：０］の各データユニットが対応する属性を示す信号として出力されるように、該各データユニットの並び替えを行う。すなわち、ダミーのデータユニットを除く２７ビットのデータユニットのそれぞれは、赤色成分の情報を有する赤色成分信号Ｒ［７：０］、緑色成分の情報を有する緑色成分信号Ｇ［７：０］、青色成分の情報を有する青色成分信号Ｂ［７：０］、データイネーブル情報を有するデータイネーブル信号ＥＮ、水平同期情報を有する水平同期信号ＨＳＹＮＣ及び垂直同期情報を有する垂直同期信号ＶＳＹＮＣのいずれかに割り当てられる。データ並び替え部２５は、該並び替えを行った各データユニットをレジスタ２６（１）乃至２６（６）に出力する。
【００４８】
レジスタ２６は、バッファとして機能し、データ並び替え部２５から出力される各並び替えられたデータユニットをラッチし、出力部２７に出力する。具体的には、レジスタ２６（１）乃至２６（６）のそれぞれは、データ並び替え部２５から出力される赤色成分信号Ｒ［７：０］、緑色成分信号Ｇ［７：０］、青色成分信号Ｂ［７：０］、データイネーブル信号ＥＮ、水平同期信号ＨＳＹＮＣ及び垂直同期信号ＶＳＹＮＣをラッチし、該ラッチした各並び替えられたデータユニットを出力部２７に出力する。
【００４９】
出力部２７は、例えば液晶表示パネルやプラズマディスプレイパネル、有機エレクトロルミネッセンス表示パネルであるが、これらに限られない。出力部２７は、レジスタ２６から出力される並び替えられたデータユニットによって構成されるピクセルデータブロックに従って画像の出力（例えば、表示）を行う。なお、ピクセルデータブロックは、画像データの１ピクセル分のデータユニットからなる。ピクセルデータブロックは、ＬＶＤＳの規格に従う画像伝送システム１においては、データブロックと等しい。
【００５０】
以上のように構成される画像伝送システム１において、受信装置２０は、送信装置１０から例えば接続時に送信される識別用画像データを示す差動信号ＩＮ０乃至ＩＮ３を受信部２１によって受信し、該受信した信号をパラレルの出力信号ＯＵＴ［２７：０］に変換する。受信装置２０は、エッジカウンタ２３の動作を“有効”にするとともに、出力信号ＯＵＴ［２７：０］の各データユニットの値の変化回数をカウントし、該カウントの結果に従って出力信号ＯＵＴ［２７：０］の各データユニットの属性を識別し、該識別した属性に基づいて、各データユニットの配列を規定するフォーマットを記憶する。このような識別処理の後、受信装置２０は、エッジカウンタ２３の動作を“無効”にし、以降、送信装置１０から出力される出力用画像データを示す差動信号ＩＮ０乃至ＩＮ３に従う出力信号ＯＵＴ［２７：０］の各データユニットを記憶したフォーマットに従う順番に並び替えて出力し、該出力の結果に従う画像を出力する。これにより、画像伝送システム１は、所定の規格に従う汎用の送信装置が送信可能な画像データ（すなわち識別用画像データ）を用いて、該画像データを識別することができるようになる。
【００５１】
図２は、本発明の一実施形態に係る受信装置における受信部の動作を示すためのタイミングチャートである。同図中、送信装置１０によって受信装置２０に送信される差動信号ＩＮ０乃至ＩＮ３の状態が遷移する時刻をそれぞれ時刻ｔ２０１乃至ｔ２０８とする。
【００５２】
受信装置２０は、時刻ｔ２０１乃至ｔ２０７で、送信装置１０から差動クロックＣＬＫＰを受け、該クロックに基づいて、内部クロック及び出力クロックＣＬＫＯを生成する。さらに、受信装置２０は、内部クロックに基づいて、送信装置１０から送信されるデータユニットＤ０乃至Ｄ２７に対応する差動信号ＩＮ０乃至ＩＮ３をラッチする。
【００５３】
時刻ｔ２０８で、受信装置２０は、ラッチした差動信号ＩＮ０乃至ＩＮ３をパラレルの出力信号ＯＵＴ［２７：０］に変換し、生成した出力クロックＣＬＫＯに基づいて、該出力信号ＯＵＴ［２７：０］をエッジカウンタ２３とデータ並び替え部２５とに出力する。
【００５４】
図３は、本発明の一実施形態に係る受信装置における出力部の動作を説明するための概念図である。同図において、本実施形態に係る出力部２７は、画像フレーム３００内をピクセル３２０によって走査することによって、画像データに基づく画像を出力する。走査は、例えばプログレッシブ方式又はインターレース方式で行われる。本例では、出力部２７は、データイネーブル信号ＥＮが“Ｈ”（例えば電源電位）であって、かつ、ピクセル３２０が画像フレーム３００における画像出力領域３１０内を走査している場合に、赤・緑・青の各色成分８ビットによって表現される画像を出力する。
【００５５】
また、出力部２７は、レジスタ２６から出力される水平同期信号ＨＳＹＮＣ及び垂直同期信号ＶＳＹＮＣに従って、画像出力領域３１０を決定する。具体的には、出力部２７は、垂直同期信号ＶＳＹＮＣの状態が“Ｈ”から“Ｌ”（例えば接地電位）に遷移してからピクセル３２０が画像フレーム３００内を所定の走査ライン数だけ走査するまでの長さを画像出力領域３１０の垂直方向の長さとして決定する一方で、水平同期信号ＨＳＹＮＣの状態が“Ｈ”から“Ｌ”に遷移してからピクセル３２０が画像フレーム３００内を所定のピクセル数だけ走査するまでの長さを画像出力領域３１０の水平方向の長さとして決定する。なお、データイネーブル信号ＥＮの状態は、典型的には、ピクセル３２０が画像出力領域３１０を走査している場合に“Ｈ”となるか、又は常に“Ｈ”に固定される。
【００５６】
図４は、本発明の一実施形態に係る送信装置から送信される識別用画像データの詳細を示すための概念図である。同図において、画像出力領域３１０を１ラインごとに分割した各領域を走査ライン３１１とする。
【００５７】
同図に示すように、送信装置１０は、識別用画像データとして、まず、赤色成分信号Ｒ［７：０］、緑色成分信号Ｇ［７：０］及び青色成分信号Ｂ［７：０］のそれぞれが全て００であるデータブロックを１ライン分送信する。次に、送信装置１０は、赤色成分信号Ｒ［７：０］が０１であり、緑色成分信号Ｇ［７：０］及び青色成分信号Ｂ［７：０］のそれぞれが００であるデータブロックを１ライン分送信する。次に、送信装置１０は、赤色成分信号Ｒ［７：０］の信号ビット０３であり、緑色成分信号Ｇ［７：０］及び青色成分信号Ｂ［７：０］のそれぞれが００であるデータブロックを１ライン分送信する。このように、送信装置１０は、受信装置２０における走査ライン３１１ごとに、値が“１”であるデータユニットの数が異なるような識別用画像データを送信する。最終的に、送信装置１０は、赤色成分信号Ｒ［７：０］、緑色成分信号Ｇ［７：０］及び青色成分信号Ｂ［７：０］のそれぞれが全てＦＦであるデータブロックを画像出力領域３１０の終端まで送信する。
【００５８】
なお、本例では、送信装置１０は、走査ライン３１１ごとに値を“１”とするデータユニットの数が増えるような識別用画像データを送信するが、これに限られるものではない。識別用画像データは、画像出力領域３１０内で各色成分信号が示す各データユニットの値が“１”となる回数がそれぞれ異なっていれば良い。よって、各走査ライン３１１にいずれのデータブロックを出力するか（すなわち、データブロックの出力順番）に関しては、制限はない。また、本例では、送信装置１０は、赤色成分信号Ｒ［０］が示すデータユニットの値の変化回数が最も多く、青色成分信号Ｂ［７］が示すデータユニットの値の変化回数が最も少なくなるように識別用画像データを送信するように構成されているが、これに限られるものではなく、各色成分信号が示すデータユニットに対する値の変化回数の割り当ては、自由に定めることができる。
【００５９】
図５は、本発明の一実施形態に係る送信装置が受信装置に識別用画像データを送信する場合の受信装置の動作を示すフローチャートである。同図において、まず、受信装置２０は、エッジカウンタ２３の動作を“有効”に設定する（Ｓ５０１）。次に、受信装置２０は、送信装置１０から送信される識別用画像データを示す差動信号ＩＮ０乃至ＩＮ３を例えば数画面分にわたって受信し（Ｓ５０２）、差動信号ＩＮ０乃至ＩＮ３をパラレルの出力信号ＯＵＴ［２７：０］に変換する。
【００６０】
受信装置２０は、次に、エッジカウンタ２３によって出力信号ＯＵＴ［２７：０］が示す各データユニットの値の変化回数をカウントする（Ｓ５０３）。受信装置２０は、出力信号ＯＵＴ［２７：０］が示す各データユニットのうち、最も値の変化回数が少ないデータユニットを、垂直同期信号ＶＳＹＮＣを示すデータユニットとして識別する（Ｓ５０４）。続いて、受信装置２０は、出力信号ＯＵＴ［２７：０］が示す各データユニットから垂直同期信号ＶＳＹＮＣを示すデータユニットを除いた後、各データユニットの値の変化回数に従って、赤色成分信号Ｒ［７：０］、緑色成分信号Ｇ［７：０］及び青色成分信号Ｂ［７：０］を示すデータユニットを識別する（Ｓ５０５）。
【００６１】
次に、受信装置２０は、出力信号ＯＵＴ［２７：０］から垂直同期信号ＶＳＹＮＣと、赤色成分信号Ｒ［７：０］、緑色成分信号Ｇ［７：０］及び青色成分信号Ｂ［７：０］とを示すデータユニットを除いた場合に、値が変化している残りのデータユニットがいくつあるかを判断する（Ｓ５０６）。受信装置２０は、値が変化している残りのデータユニットが０個であると判断する場合（Ｓ５０６の“０”）、識別用画像データか又は受信装置２０に異常があるとみなし、信号識別部２４の記憶情報を初期化し（Ｓ５０７）、ステップＳ５０２の処理に戻る。
【００６２】
受信装置２０は、値が変化している残りのデータユニットが２個であると判断する場合（Ｓ５０６の“２”）、２個のデータユニットの値の変化回数に従って、データイネーブル信号ＥＮと水平同期信号ＨＳＹＮＣとを示すデータユニットを識別する。具体的には、受信装置２０は、２個のデータユニットのうち値の変化回数が少ないデータユニットを、データイネーブル信号ＥＮを示すデータユニットと識別する一方で、値の変化回数が多いデータユニットを、水平同期信号ＨＳＹＮＣを示すデータユニットと識別し（Ｓ５０８）、値の変化のないデータユニットを、ダミービットを示すデータユニットと識別する。また、受信装置２０は、値が変化している残りのデータユニットが１個であると判断する場合（Ｓ５０６の“１”）、残りの１個のデータユニットを水平同期信号ＨＳＹＮＣを示すデータユニットと識別し、データイネーブル信号ＥＮは“１”に固定されているものとみなし（Ｓ５０９）、値の変化がないデータユニットを水平同期信号ＨＳＹＮＣ及びダミービットを示すデータユニットと識別する。
【００６３】
受信装置２０は、ステップＳ５０３乃至Ｓ５０９の処理において識別した出力信号ＯＵＴ［２７：０］が示す各データユニットと、各色信号、垂直同期信号ＶＳＹＮＣ、水平同期信号ＨＳＹＮＣ、データイネーブル信号ＥＮ及びダミー信号との対応関係を示すフォーマットを信号識別部２４に記憶させる（Ｓ５１０）。受信装置２０は、エッジカウンタ２３の動作を無効に設定し（Ｓ５１１）、以降、信号識別部２４の記憶内容に従って、送信装置１０から出力される出力用画像データを示す差動信号ＩＮ０乃至ＩＮ３に従う出力信号ＯＵＴ［２７：０］の各データユニットが対応する属性を示す信号として出力されるように該各データユニットを並び替え、該並び替えた各データユニットに従う画像を出力する（Ｓ５１２）。
【００６４】
上述したように、本実施形態に係る受信装置２０は、送信装置１０から送信される識別用画像データを示す差動信号ＩＮ０乃至ＩＮ３を受信部２１によって受信し、該受信した信号をパラレルの出力信号ＯＵＴ［２７：０］に変換する。受信装置２０は、エッジカウンタ２３の動作を“有効”にするとともに、出力信号ＯＵＴ［２７：０］が示すデータユニットの値の変化回数をカウントし、該カウントの結果に従って出力信号ＯＵＴ［２７：０］の各データユニットの属性を識別し、該識別の結果に従って、各データユニットの配列を規定するフォーマットを記憶する。続いて、受信装置２０は、エッジカウンタ２３の動作を“無効”にし、以降、データ並び替え部２５によって送信装置１０から出力される差動信号ＩＮ０乃至ＩＮ３に従う出力信号ＯＵＴ［２７：０］の各データユニットを該フォーマットに従って並び替えながら画像として出力する。これにより、受信装置２０は、送信装置１０から送信される画像データを識別することができるようになる。
【００６５】
なお、本例では、受信装置２０は、典型的には、出力信号ＯＵＴ［２７：０］の各データユニットの属性の識別を１フレームの画像の全ての走査ライン３１１に対して行うが、これに限られるものではない。受信装置２０は、各データユニットの属性の識別に関して、１フレームの画像の所定数の走査ラインに対してのみ行い、所定数を超える分の走査ライン３１１については該属性の識別をスキップしても良い。
【００６６】
図６は、本発明の一実施形態に係る画像伝送システムの概略構成の他の例を示す図である。同図に示すように、本実施形態に係る画像伝送システム１Ａは、送信装置１０Ａと、受信装置２０Ａとを含んで構成される。
【００６７】
送信装置１０Ａは、送信装置１０をＬＶＤＳでなくｍｉｎｉ−ＬＶＤＳの規格に対応するように構成される。送信装置１０Ａは、７ｂｉｔでなく８ｂｉｔのデータ列が時分割で重畳された差動信号ＩＮｎ（ｎは整数）を３対又は４対使用することによって、２４ｂｉｔ又は３２ｂｉｔのデータブロックをシリアルの差動信号ＩＮ０乃至ＩＮ２又はＩＮ０乃至ＩＮ３として受信装置２０に送信する。また、送信装置１０Ａは、送信装置１０と異なる識別用画像データを受信装置２０Ａに送信する。本例では、画像伝送システム１Ａは、差動信号線を４対使用するものとする。
【００６８】
受信装置２０Ａは、受信装置２０をＬＶＤＳでなくｍｉｎｉ−ＬＶＤＳの規格に対応させたものである。受信装置２０Ａは、２８ｂｉｔでなく３２ｂｉｔのデータブロックを示す４対の差動信号ＩＮ０乃至ＩＮ３を受信することを除いて、受信装置２０と同じ動作を行う。受信装置２０Ａは、受信部２１Ａと、制御部２２と、エッジカウンタ２３Ａと、信号識別部２４Ａと、データ並び替え部２５Ａと、レジスタ２６Ａと、出力部２７とを含んで構成される。
【００６９】
受信部２１Ａは、ｍｉｎｉ−ＬＶＤＳのシンク機器のインターフェースであり、送信装置１０Ａから送信される３２ｂｉｔのデータブロックを示すシリアルの差動信号ＩＮ０乃至ＩＮ３を受信し、該受信した信号をパラレルの出力信号ＯＵＴ［３１：０］に変換してエッジカウンタ２３Ａとデータ並び替え部２５Ａとに出力する。具体的には、受信部２１Ａは、差動クロックＣＬＫＰ及びＣＬＫＮに基づいて、送信装置１０Ａから送信される３２ｂｉｔのデータブロックを示す４対のシリアルの差動信号ＩＮ０乃至ＩＮ３をラッチする。受信部２１Ａは、該ラッチした信号をパラレルの出力信号ＯＵＴ［３１：０］に変換し、出力クロックＣＬＫＯに基づいて、出力信号ＯＵＴ［３１：０］をエッジカウンタ２３Ａと、データ並び替え部２５Ａとに出力する。
【００７０】
エッジカウンタ２３Ａ及び信号識別部２４Ａは、扱う信号のビット数が異なることを除いて、それぞれエッジカウンタ２３及び信号識別部２４と同じ動作を行う。
【００７１】
データ並び替え部２５Ａは、信号識別部２４Ａから出力される識別信号ＩＤに記憶されたフォーマットに従って、受信部２１から出力される出力信号ＯＵＴ［３１：０］が示す各データユニットを並び替え、該並び替えた各データユニットをデータ信号Ｄ［３１：０］としてレジスタ２６Ａに出力する。具体的には、データ並び替え部２５Ａは、信号識別部２４Ａから出力される識別信号ＩＤに記憶された各データユニットの配列を規定するフォーマットに従って、受信部２１Ａから出力される出力信号ＯＵＴ［３１：０］が示す各データユニットがそれぞれ対応するデータ信号Ｄ［３１：０］に割り振られるように並び替えを行い、該並び替えを行った各データユニットをデータ信号Ｄ［３１：０］としてレジスタ２６Ａに出力する。
【００７２】
レジスタ２６Ａは、バッファとして機能し、データ並び替え部２５Ａから出力される信号をラッチし、出力部２７に出力する。具体的には、レジスタ２６Ａは、データ並び替え部２５Ａから出力されるデータ信号Ｄ［３１：０］をラッチし、該ラッチした信号を出力部２７に出力する。
【００７３】
図７は、本発明の一実施形態に係る受信装置における受信部の動作を示すためのタイミングチャートである。同図において、送信装置１０Ａによって送信される差動信号ＩＮ０乃至ＩＮ３の状態が遷移する時刻をそれぞれ時刻ｔ７０１乃至ｔ７０９とする。つまり、識別用画像データは、３２ｂｉｔのデータブロック（Ｄ０乃至Ｄ３１のデータユニット）として送信される。
【００７４】
時刻ｔ７０１乃至ｔ７０８で、受信装置２０Ａは、送信装置１０Ａから差動クロックＣＬＫＰを受け、該クロックに基づいて、出力クロックＣＬＫＯを生成する。受信装置２０Ａは、差動クロックＣＬＫＰに基づいて、送信装置１０Ａから送信されるデータユニットＤ０乃至Ｄ３１を示す差動信号ＩＮ０乃至ＩＮ３をラッチする。
【００７５】
時刻ｔ７０９で、受信装置２０Ａは、ラッチした差動信号ＩＮ０乃至ＩＮ３をパラレルの出力信号ＯＵＴ［３１：０］に変換し、出力クロックＣＬＫＯに基づいて、該出力信号ＯＵＴ［３１：０］をエッジカウンタ２３Ａとデータ並び替え部２５Ａとに出力する。
【００７６】
図８は、本発明の一実施形態に係る送信装置が出力する差動信号と該信号が示す画像データとの関係を示すタイミングチャートである。なお、送信装置１０Ａは、画像データを受信装置２０Ａに送信するために、３対の差動信号ＩＮ０乃至ＩＮ２を使用するものとする。
【００７７】
送信装置１０Ａは、時刻ｔ７０１乃至ｔ７０８の各時刻で、第１のデータブロックとして、１ピクセル目の赤色成分の画像情報Ｒ１［０］乃至Ｒ１［７］を示す差動信号ＩＮ０を生成し出力し、１ピクセル目の緑色成分の画像情報Ｇ１［０］乃至Ｇ１［７］を示す差動信号ＩＮ１を生成し出力し、１ピクセル目の青色成分の画像情報Ｂ１［０］乃至Ｂ［７］を示す差動信号ＩＮ２を生成し出力する。
【００７８】
送信装置１０Ａは、続いて、時刻ｔ７０９乃至ｔ７１６の各時刻で、２ピクセル目の赤色成分の画像情報Ｒ２［０］乃至Ｒ２［７］を示す差動信号ＩＮ０を生成し出力し、２ピクセル目の緑色成分の画像情報Ｇ１［０］乃至Ｇ１［７］を示す差動信号ＩＮ１を生成し出力し、２ピクセル目の青色成分の画像情報Ｂ１［０］乃至Ｂ１［７］を示す差動信号ＩＮ２を生成し出力する。
【００７９】
図９は、本発明の一実施形態に係る送信装置が出力する差動信号と該信号が示す画像データとの関係を示すタイミングチャートである。なお、送信装置１０Ａは、画像データを受信装置２０Ａに送信するために、４対の差動信号ＩＮ０乃至ＩＮ３を使用するものとする。
【００８０】
送信装置１０Ａは、時刻ｔ７０１乃至ｔ７０８の各時刻で、第１のデータブロックとして、１ピクセル目について、赤色成分の画像情報Ｒ１［０］乃至Ｒ１［７］を示す差動信号ＩＮ０、緑色成分の画像情報Ｇ１［０］乃至Ｇ１［７］を示す差動信号ＩＮ１を生成し出力し、青色成分の画像情報Ｂ１［０］乃至Ｂ１［７］を示す差動信号ＩＮ２を生成し出力する。また、送信装置１０Ａは、第１のデータブロックとして、２ピクセル目の赤色成分の画像情報Ｒ２［０］乃至Ｒ２［７］を示す差動信号ＩＮ３を生成し出力する。
【００８１】
送信装置１０Ａは、続いて、時刻ｔ７０９乃至ｔ７１６の各時刻で、第２のデータブロックとして、２ピクセル目について、緑色成分の画像情報Ｇ２［０］乃至Ｇ２［７］を示す差動信号ＩＮ０を生成し出力するとともに、青色成分の画像情報Ｂ２［０］乃至Ｂ２［７］を示す差動信号ＩＮ１を生成し出力する。また、送信装置１０Ａは、第２のデータブロックとして、３ピクセル目の、赤色成分の画像情報Ｒ３［０］乃至Ｒ３［７］を示す差動信号ＩＮ２を生成し出力するとともに、緑色成分の画像情報Ｇ３［０］乃至Ｇ３［７］を示す差動信号ＩＮ３を生成し出力する。
【００８２】
図１０は、本発明の一実施形態に係る送信装置が出力する識別用画像データの内容を示すタイミングチャートである。同図において、送信装置１０Ａは、３対の伝送路を用いて画像データを受信装置２０Ａに送信するものとする。送信装置１０Ａは、時刻ｔ７０１乃至ｔ７０４で第１のデータブロックとして、１ピクセル目の赤色成分信号Ｒ［７：０］が０１であり、緑色成分信号Ｇ［７：０］及び青色成分信号Ｂ［７：０］のそれぞれが００であるデータブロックを示す差動信号ＩＮ０乃至ＩＮ２を送信する。
【００８３】
時刻ｔ７０５乃至ｔ７０８で、送信装置１０Ａは、第２のデータブロックとして、２ピクセル目の画像データとして、赤色成分信号Ｒ［７：０］、緑色成分信号Ｇ［７：０］及び青色成分信号Ｂ［７：０］が全て００であるデータブロックを示す差動信号ＩＮ０乃至ＩＮ２を送信する。続いて、時刻ｔ７０９乃至ｔ７１２で、送信装置１０Ａは、第３のデータブロックとして、赤色成分信号Ｒ［７：０］が０１であり、緑色成分信号Ｇ［７：０］及び青色成分信号Ｂ［７：０］のそれぞれが００であるデータブロックを示す差動信号ＩＮ０乃至ＩＮ２を送信する。さらに、時刻ｔ７１３乃至ｔ７１６で、送信装置１０Ａは、第４のデータブロックとして、赤色成分信号Ｒ［７：０］、緑色成分信号Ｇ［７：０］及び青色成分信号Ｂ［７：０］が全て００である画像データを示す差動信号ＩＮ０乃至ＩＮ２を送信する。
【００８４】
上述したように、送信装置１０Ａは、有効なデータブロックごとに値を“１”とするデータユニットの数が異なるように、識別用画像データを差動信号ＩＮ０乃至ＩＮ２として送信する。また、送信装置１０Ａは、有効なデータブロックの境界を識別するために、１ピクセルおきに各色の信号が全て００となるようなデータブロックを差動信号ＩＮ０乃至ＩＮ２として送信する。最終的に、送信装置１０Ａは、赤色成分信号Ｒ［７：０］、緑色成分信号Ｇ［７：０］及び青色成分信号Ｂ［７：０］のそれぞれが全てＦＦであるデータブロックを画像出力領域３１０の終端まで送信する。
【００８５】
図１１は、本発明の一実施形態に係る送信装置から送信される識別用画像データを説明するための概念図である。同図において、送信装置１０Ａは、３対の伝送路を用いて画像データを受信装置２０Ａに送信するものとする。同図において、走査ライン３１１をピクセルごとに分割した各領域をピクセル領域３１１０とする。
【００８６】
同図に示すように、送信装置１０Ａは、有効なデータブロックを示すピクセル領域３１１０ごとに値を“１”とする各色の信号が示すデータユニット数が異なるように、識別用画像データを送信する。また、送信装置１０Ａは、有効なデータブロックを示す各ピクセル領域３１１０の後に各色の信号の状態が全て００となるようなデータブロックを送信する。最終的に、送信装置１０Ａは、赤色成分信号Ｒ［７：０］、緑色成分信号Ｇ［７：０］及び青色成分信号Ｂ［７：０］が全てＦＦであるデータブロックを送信し、以降、同じデータブロックを送信し続ける。
【００８７】
図１２は、本発明の一実施形態に係る送信装置が出力する識別用画像データの内容を示すタイミングチャートである。同図において、送信装置１０Ａは、４対の伝送路を用いて受信装置２０Ａに画像データを送信するものとする。
【００８８】
送信装置１０Ａは、時刻ｔ７０１乃至ｔ７０４で、第１のデータブロックとして、１ピクセル目の赤色成分信号Ｒ［７：０］が０１であり、緑色成分信号Ｇ［７：０］及び青色成分信号Ｂ［７：０］が００であるピクセルデータブロックを示す差動信号ＩＮ０乃至ＩＮ２を送信する。また、送信装置１０Ａは、第１のデータブロックとして、各色の信号が全て００である２ピクセル目のピクセルデータブロックの一部を示す差動信号ＩＮ３を送信する。
【００８９】
時刻ｔ７０５乃至ｔ７０８で、送信装置１０Ａは、第２のデータブロックとして、各色の信号が全て００である２ピクセル目のピクセルデータブロックの一部を示す差動信号ＩＮ０及びＩＮ１を送信する。また、送信装置１０Ａは、第２のデータブロックとして、各色の信号が全て００である３ピクセル目のピクセルデータブロックの一部を示す差動信号ＩＮ２及びＩＮ３を送信する。
【００９０】
時刻ｔ７０９乃至ｔ７１２で、送信装置１０Ａは、第３のデータブロックとして、各色の信号が全て００である３ピクセル目のピクセルデータブロックの一部を示す差動信号ＩＮ０を送信する。また、送信装置１０Ａは、第３のデータブロックとして、各色の信号が全て００である４ピクセル目のピクセルデータブロックを示す差動信号ＩＮ１乃至ＩＮ３を送信する。
【００９１】
時刻ｔ７１３乃至ｔ７１６で、送信装置１０Ａは、第４のデータブロックとして、赤色成分信号Ｒ［７：０］が０３であり、緑色成分信号Ｇ［７：０］及び青色成分信号Ｂ［７：０］が００である５ピクセル目のピクセルデータブロックを示す差動信号ＩＮ０乃至ＩＮ２を送信する。また、送信装置１０Ａは、第４のデータブロックとして、各色の信号が全て００である６ピクセル目のピクセルデータブロックの一部を示す差動信号ＩＮ３を送信する。
【００９２】
上述したように、送信装置１０Ａは、有効なデータブロックごとに値を“１”とするデータユニットの数が異なるように、識別用画像データを送信する。また、送信装置１０Ａは、差動信号ＩＮ０乃至ＩＮ２のみが有効なデータブロックを示すように、各有効なデータブロックの間に３ピクセル分の各色の信号が全て００であるピクセルデータブロックを示す差動信号ＩＮ０乃至ＩＮ３を送信する。
【００９３】
図１３は、本発明の一実施形態に係る送信装置から送信される識別用画像データを説明するための概念図である。同図において、送信装置１０Ａは、４対の伝送路を用いて画像データを示す差動信号ＩＮ０乃至ＩＮ３を受信装置２０Ａに送信するものとする。
【００９４】
同図に示すように、送信装置１０Ａは、有効なデータブロックを示すピクセル領域３１１０ごとに値を“１”とするデータユニットの数が異なるように、識別用画像データを示す差動信号ＩＮ０乃至ＩＮ３を送信する。また、送信装置１０Ａは、有効なデータブロックを示すピクセル領域３１１０の後に各信号が全て００となるようなピクセルデータブロックを３ピクセルだけ、すなわち、２つのデータブロックとして、差動信号ＩＮ０乃至ＩＮ３として送信する。最終的に、送信装置１０Ａは、赤色成分信号Ｒ［７：０］、緑色成分信号Ｇ［７：０］及び青色成分信号Ｂ［７：０］が全てＦＦであるピクセルデータブロックを示す差動信号ＩＮ０乃至ＩＮ３を送信し、以降同じピクセルデータブロックを示す差動信号ＩＮ０乃至ＩＮ３を送信し続ける。
【００９５】
図１４は、本発明の一実施形態に係る識別用画像データを受信した受信装置の動作を示すフローチャートである。同図に示すように、まず、受信装置２０Ａは、エッジカウンタ２３Ａの動作を“有効”に設定する（Ｓ１４０１）。次に、受信装置２０Ａは、送信装置１０Ａから送信される識別用画像データを示す差動信号ＩＮ０乃至ＩＮ３を数画面にわたって受信し（Ｓ１４０２）、差動信号ＩＮ０乃至ＩＮ３をパラレルの出力信号ＯＵＴ［３１：０］に変換する。
【００９６】
受信装置２０Ａは、エッジカウンタ２３Ａによって出力信号ＯＵＴ［３１：０］の各信号が示すデータユニットの値の変化回数をカウントする（Ｓ１４０３）。受信装置２０Ａは、各データユニットの値の変化回数に従って、各色の信号を識別する（Ｓ１４０４）。
【００９７】
受信装置２０Ａは、識別した出力信号ＯＵＴ［３１：０］の各フォーマットを信号識別部２４Ａに記憶させる（Ｓ１４０５）。受信装置２０Ａは、エッジカウンタ２３Ａの動作を“無効”に設定する（Ｓ１４０６）。受信装置２０Ａは、信号識別部２４Ａの記憶内容に従って、送信装置１０Ａから出力される出力用画像データを示す差動信号ＩＮ０乃至ＩＮ３に従う出力信号ＯＵＴ［３１：０］が示す各データユニットを並び替え、該並び替えた各データユニットに従う画像を出力する（Ｓ１４０７）。
【００９８】
上述したように、本実施形態に係る受信装置２０Ａは、送信装置１０Ａから送信される識別用画像データを示す差動信号ＩＮ０乃至ＩＮ３を受信部２１Ａによって受信し、該受信した信号をパラレルの出力信号ＯＵＴ［３１：０］に変換する。受信装置２０Ａは、エッジカウンタ２３Ａの動作を“有効”にするとともに、出力信号ＯＵＴ［３１：０］が示すデータユニットの値の変化回数をカウントし、該カウントの結果に従って出力信号ＯＵＴ［３１：０］の各データユニットの属性を識別し、各データユニットの配列を規定する属性との対応関係を示すフォーマットを記憶する。受信装置２０Ａは、エッジカウンタ２３Ａの動作を“無効”にし、以降、送信装置１０Ａから出力される差動信号ＩＮ０乃至ＩＮ３に従う出力信号ＯＵＴ［３１：０］が示す各データユニットを該識別の結果に従う順番に並び替えて出力し、該出力の結果に従う画像を出力する。これにより、受信装置２０Ａは、識別用画像データを用いて、送信装置１０Ａから送信される画像データを識別することができるようになる。
【００９９】
上記各実施形態は、本発明を説明するための例示であり、本発明をこれらの実施形態にのみ限定する趣旨ではない。本発明は、その要旨を逸脱しない限り、さまざまな形態で実施することができる。
【０１００】
例えば、本明細書に開示される方法においては、その結果に矛盾が生じない限り、ステップ、動作又は機能を並行して又は異なる順に実施しても良い。説明されたステップ、動作及び機能は、単なる例として提供されており、ステップ、動作及び機能のうちのいくつかは、発明の要旨を逸脱しない範囲で、省略でき、また、互いに結合させることで一つのものとしてもよく、また、他のステップ、動作又は機能を追加してもよい。
【０１０１】
また、本明細書では、さまざまな実施形態が開示されているが、一の実施形態における特定のフィーチャ（技術的事項）を適宜改良しながら、他の実施形態に追加し、又は該他の実施形態における特定のフィーチャと置換することができ、そのような形態も本発明の要旨に含まれる。
【産業上の利用可能性】
【０１０２】
本発明は、画像データを伝送する画像伝送システムの分野に広く利用することができる。
【符号の説明】
【０１０３】
１…画像伝送システム
１０…送信装置
２０…受信装置
２１…受信部
２２…制御部
２３…エッジカウンタ
２４…信号識別部
２５…データ並び替え部
２６…レジスタ
２７…出力部
３００…画像フレーム
３１０…画像出力領域
３１１…走査ライン
３１１０…ピクセル領域
３２０…ピクセル
【図１】
0006513991.tif 000002
【図２】
0006513991.tif 000003
【図３】
0006513991.tif 000004
【図４】
0006513991.tif 000005
【図５】
0006513991.tif 000006
【図６】
0006513991.tif 000007
【図７】
0006513991.tif 000008
【図８】
0006513991.tif 000009
【図９】
0006513991.tif 000010
【図１０】
0006513991.tif 000011
【図１１】
0006513991.tif 000012
【図１２】
0006513991.tif 000013
【図１３】
0006513991.tif 000014
【図１４】
0006513991.tif 000015